(57)【要約】【課題】改良した開放式屋根構造を提供する。【解決手段】固定屋根部に設けられた屋根開口部と、屋根開口部を閉鎖・開放する位置間を移動できる閉鎖要素であって、少なくとも屋根開口部を部分的に開放するための傾斜位置に位置させることができ、傾斜位置では閉鎖要素の後端が持ち上がっている閉鎖要素と、閉鎖要素の対向する長手方向の両端の領域内で、閉鎖要素が閉鎖位置にないときに生じた隙間を覆うための、伸縮自在に移動可能なカバー部材と、を備えた開放式屋根構造。カバー部材は、カバー部材を前記固定屋根部から上方に離れるように付勢すると共に、閉鎖要素に向かって付勢するための、２つの付勢手段によって、固定屋根部に動作可能に接続されており、カバー部材の長手方向の前後端の中間の位置、及び前端部領域において、当接手段が前記カバー部材の上方向の動きを制限するために設けられており、中間の当接手段は、カバー部材のための枢軸を形成している。【選択図】図１
2008120379.tif 000002
【特許請求の範囲】
【請求項１】
固定屋根部に設けられた屋根開口部と、
該屋根開口部を閉鎖及び開放する位置間を移動できる閉鎖要素であって、
少なくとも前記屋根開口部を部分的に開放するための傾斜位置に位置させることができ、傾斜位置では前記閉鎖要素の後端が持ち上がっている閉鎖要素と、
該閉鎖要素の対向する長手方向の両端の領域内で、前記閉鎖要素が前記閉鎖位置にないときに生じた隙間を覆うための、伸縮自在に移動可能なカバー部材と、
を備えた車両用開放式屋根構造において、
少なくとも１つの前記カバー部材が、該カバー部材を前記固定屋根部から上方に離れるように付勢すると共に、前記閉鎖要素に向かって付勢するための、長手方向に間隔をあけた２つの付勢手段によって、前記固定屋根部に動作可能に接続されており、
前記カバー部材の長手方向の前後端の中間の位置、及び前端部領域において、当接手段が前記カバー部材の上方向の動きを制限するために設けられており、
前記中間の当接手段は、前記カバー部材のための枢軸を形成している、
ことを特徴とする車両用開放式屋根構造。
【請求項２】
前記中間の当接手段が、前記閉鎖要素の前後端の略中間に位置している、請求項１に記載の開放式屋根構造。
【請求項３】
前記中間の当接手段が、前記カバー部材の枢軸部材のためのガイド手段の上端によって形成されている、請求項１または２に記載の開放式屋根構造。
【請求項４】
前記付勢手段が板バネである、請求項１から３のいずれか１項に記載の開放式屋根構造。
【請求項５】
前記閉鎖要素の前端も持ち上げ可能とされており、持ち上げられる前後端を有する前記閉鎖要素は、少なくとも部分的に前記屋根開口部を開放するために後方にスライド可能であり、
前記当接手段の位置は、前記閉鎖要素が完全に持ち上げられた位置においては、前記カバー部材は、両方の当接手段に係止されていると共に、前記閉鎖要素からは離れている、請求項１から４のいずれか１項に記載の開放式屋根構造。
【請求項６】
最前方の前記付勢手段は、後方の該付勢手段によって生じるモーメントを上回る、前記中間の当接部材の周りのモーメントを生じるように構成された、請求項１から５のいずれかに１項に記載の開放式屋根構造。
【請求項７】
前記カバー部材は、可動カバー部材、前記閉鎖要素に取り付けられた上カバー部材、及び前記固定屋根部に取り付けられた下固定閉鎖部材を備えている、請求項１から６のいずれか１項に記載の開放式屋根構造。
【発明の詳細な説明】
【技術分野】
【０００１】
本発明は車両用開放式屋根構造に関するものであり、固定屋根部分に設けられた屋根開口部、屋根開口部を閉鎖及び開放する位置間を移動でき、少なくとも部分的に屋根開口部を開放するための傾斜位置に位置させることができ、傾斜位置では前記閉鎖要素の後端が持ち上がっている閉鎖要素、及び閉鎖要素の対向する長手方向の両端の領域内で、閉鎖要素が閉鎖位置にないときに生じた隙間を覆うための、伸縮自在に移動可能なカバー部材、を備えている。
【背景技術】
【０００２】
このタイプの開放式屋根構造については、特許文献１及び特許文献２に記載されており、カバー部材はそれらの前端で、横方向に延びる回転軸にヒンジで連結されている。
【特許文献１】米国特許第４０８９５５７号明細書
【特許文献２】米国特許出願公開第２００５／０２１８７０４号明細書
【発明の開示】
【発明が解決しようとする課題】
【０００３】
本発明の目的は、上記のタイプの開放式屋根構造を改良したものを提供することである。
【課題を解決するための手段】
【０００４】
従って、本発明による開放式屋根構造は、少なくとも１つのカバー部材が、該カバー部材を固定屋根部から上方に離れるように付勢すると共に、閉鎖要素に向かって付勢するための、長手方向に間隔をあけた２つの付勢手段によって、固定屋根部に動作可能に接続されており、前記カバー部材の長手方向の前後端の中間の位置、及び前端部領域において、当接手段が前記カバー部材の上方向の動きを制限するために設けられており、中間の当接手段が前記カバー部材のための枢軸を形成している、ことを特徴としている。
【０００５】
閉鎖要素を完全に閉じた位置においては、前記カバー部材は、両方の付勢手段に最大負荷がかかっている状態で、閉鎖要素に係合されている（若しくは他の要素とともに接続されている）。閉鎖要素が傾斜位置（後端が持ち上がっている）にあるとき、対応する前記カバー部材の後端は、その前端が略同位置に留まった状態で、対応する付勢手段によって上方に押動される。従って、前記カバー部材は傾斜した姿勢になり、閉鎖要素と固定屋根部との間の隙間が効果的に覆われることになる。次に、閉鎖要素の前端も持ち上げられたとき、前記カバー部材の前端も対応する付勢手段によって押動される。その結果、前記カバー部材は、中間の当接手段に係止され、前方の当接手段がこの回動運動を停止させるまで、中間の当接手段を中心に枢動する（これはカバー部材後端の下降をもたらす）。前記カバー部材がこの位置にあるときは、その配置は両方の当接手段によって画定され、移動自由な閉鎖要素を解放し、例えば屋根開口部を開放するために後方に摺動される。
【０００６】
本発明による開放式屋根構造の好適な実施形態においては、中間の当接手段は閉鎖要素の長手方向の前後端の略中間に位置している。しかしながら、正確な位置は開放式屋根構造の構造的形態によって決定されるだろう（寸法及び可動範囲の間で）。
【０００７】
更に、中間の当接手段は、前記カバー部材の枢軸部材のためのガイド手段の上端によって形成されていることが可能である。この上端は軸部材が到達できる最上位置を形成し、回転軸を形成する。
【０００８】
好適には、付勢手段は板バネである。これらの板バネは広い可動範囲を持ちながら軽量であり、良好な運動特性を持つ。
【０００９】
本発明による開放式屋根構造の特別な実施形態においては、閉鎖要素の前端も持ち上げ可能とされており、持ち上げられる前後端を有する閉鎖要素は、少なくとも部分的に屋根開口部を開放するために、後方にスライド可能であり、当接手段の位置は、閉鎖要素が完全に持ち上がるような位置においては、前記カバー部材は両方の当接手段に係止されていると共に、閉鎖要素からは離れている。
【００１０】
このような場合においては、最前方の付勢手段は、後方の付勢手段によって生じるモーメントを上回る、中間の当接部材の周りのモーメントを生じるように構成されることが好ましい。その結果、閉鎖要素が前後端共に持ち上げられたとき、前記カバー部材が両方の当接手段に係止する位置に位置することが確実となる。
【００１１】
好適には、本発明による開放式屋根構造はカバー部材が、可動カバー部材、閉鎖要素に取り付けられた上カバー部材、及び固定屋根部に取り付けられた下固定閉鎖部材を備えるよう、構築されている。その結果、大きな隙間を効果的に覆うことができる。
【００１２】
以下、図を参照することで本発明を明らかにする。
【発明を実施するための最良の形態】
【００１３】
まず、図１を参照すると、車両用開放式屋根構造が示されている。本構造は、固定屋根部２に設けられている屋根開口部１及び駆動手段４によって駆動される閉鎖要素３を備えており、図１に図式的に示しているのみであるが、屋根開口部を閉鎖及び開放する位置間を移動できる。特に、閉鎖要素３は図２に図示したような、閉鎖要素３の後端５が持ち上げられている傾斜位置に位置することも可能である。
【００１４】
閉鎖要素３の下部に取り付けられているのは、上カバー部材６であり、下カバー部材７は固定屋根部２の一部２’に取り付けられている。上カバー部材６と下カバー部材７の中間には後述するカバー部材８がある。
【００１５】
図においては、本発明の特徴をより示すために、カバー部材６，７及び８はほとんど分離された状態で図示されている。しかしながら実際には、これらカバー部材６，７及び８は、コンパクトな構造を達成すべく、相当程度互いにオーバーラップしている。特に、図１に示したような状況では、カバー部材６及び７もまたオーバーラップする関係にある。
【００１６】
カバー部材８は長手方向に間隔をあけた２つの付勢手段９及び１０によって、固定屋根部２’と動作可能に接続されている。２つの付勢手段は、図示した実施形態においては、板バネで示されている。カバー部材８に取り付けられているのは、固定屋根部２’に取り付けられたガイド手段１２に移動可能に格納されている、軸部材１１である。カバー部材８は、その先端に接触ピン１３を備えている。
【００１７】
図１に示されている、閉鎖要素３の閉鎖位置においては、カバー部材８は閉鎖要素３に（直接的又は間接的に）係合され、板バネ９及び１０の事前負荷（preload）に対抗して、下向きに押し込まれている。軸部材１１はガイド手段１２の上端より下方に位置している。
【００１８】
図２によると、閉鎖要素３の後端５が（矢印１４によって図式的に示されているように）持ち上げられる際、対応するカバー部材８の後部は、板バネ１０の力の作用によって上方向に移動自由となる。この移動は軸部材１１がガイド手段１２の上端に当接するまで継続する。カバー部材８の前部は、閉鎖要素３に係合されたままであり、実質的に同じ位置に留まっている。この結果、カバー部材８は、図２に示すように、傾斜位置に位置される。
【００１９】
次に、閉鎖要素３の前端１５もまた（矢印１６によって図式的に示されているように）持ち上げられる際、対応するカバー部材８の前部もまた、板バネ９の作用によって上方向に移動する。同時に、カバー部材８は、軸部材１１とガイド手段１２の上端の組み合わせ（言い換えれば軸部材１１の中心軸）を中心に回動し、当接ピン１３が固定屋根部２（若しくはその箇所に備えられたその他の接触部）に当接する位置に位置される。この状態は図３に示されている。今、カバー部材８が完全に持ち上げられる一方で、閉鎖要素３から外されると、屋根開口部を開放するために、（スライドする形で）後方に（矢印１７によって示す）移動することも可能である。
【００２０】
本発明は、前記した実施形態に制限されることなく、特許請求の範囲によって定義される本発明の範囲内で、幅広く変更することができる。
【図面の簡単な説明】
【００２１】
【図１】本発明による開放式屋根構造の実施形態の側面図であって、最初の完全な閉鎖位置を図式的に示す図である。
【図２】部分的に開放され、傾斜位置にある図１の開放式屋根構造を示す図である。
【図３】開放位置にある図1の開放式屋根構造を示す図である。
【符号の説明】
【００２２】
１    屋根開口部
２    固定屋根部
３    閉鎖要素
４    駆動手段
５    後端
６    上カバー部材
７    下カバー部材
８    カバー部材
９，１０  板バネ
１１  軸部材
１２  ガイド手段
１３  当接ピン
１４，１６，１７  矢印
１５  前端
【図１】
2008120379.tif 000003
【図２】
2008120379.tif 000004
【図３】
2008120379.tif 000005